(57)【要約】【課題】  比較的大型の薄型ディスプレイを表示部として採用して、迫力ある動画、画像を提供することができ、一度に比較的大量の文字情報を表示することができ、動画等を楽な姿勢で見ることができ、しかも不正防止を行なうことができる遊技台の画像表示装置を提供する。【解決手段】  遊技台５の蓋体２１の上方に設けられた支持・収納空間２２に駆動部３０を固定し、この駆動部３０に側面視円弧状のアーム部３１を設け、前記アーム部３１の前端部に表示部５０、操作部５１等を有するディスプレイ部３２を固定する。そして、会員のＩＤカードがカードスロット５６に差し込まれた際には、アーム部３１を前方に繰り出してディスプレイ部３２を会員の右斜め上の位置にまで移動させ、ＩＤカードが取り除かれた際には、アーム部３１を後方に引き込みディスプレイ部３２を待機位置にまで復帰させる。【選択図】図１
2005102833.tif 000002
【特許請求の範囲】
【請求項１】
遊技台の遊技領域前面に配される蓋体の上方位置に固定される駆動部と、
前記駆動部の駆動により前方の繰り出し位置と後方の引き込み位置との間で移動自在な側面視略円弧形状のアーム部と、
前記アーム部の前端部に固着され、そのアーム部が前方へ繰り出された際には前記蓋体の前方に位置し、前記アーム部が後方へ引き込まれた際には前記蓋体の上方に位置する画像表示用のディスプレイ部を備えることを特徴とする遊技台の画像表示装置。
【請求項２】
前記ディスプレイ部には、セットされたＩＤカードの記録媒体に記録されたＩＤナンバーを読み取るＩＤ読取部が設けられる請求項１に記載の遊技台の画像表示装置。
【請求項３】
前記繰り出し位置は、前記ディスプレイ部が前記蓋体の上部前方に位置する待機位置と、この待機位置の下方の遊技位置の２位置よりなり、
前記ＩＤ読取部によってＩＤナンバーの読み取りが行なわれていないときには、前記ディスプレイ部を前記待機位置に位置させ、
前記ＩＤ読取部にてＩＤナンバーの読み取りがなされたときには、前記アーム部を前方に繰り出すように前記駆動部の駆動制御を行なうことによって、前記ディスプレイ部を前記遊技位置に移動させ、
前記ＩＤ読取部からＩＤカードが取り除かれたときには、前記アーム部を引き込む方向に前記駆動部の駆動制御を行なうことによって、前記ディスプレイ部を前記遊技位置から前記待機位置に復帰させる駆動部制御手段を備える請求項２に記載の遊技台の画像表示装置。
【請求項４】
前記駆動部制御手段は、前記ＩＤ読取部が特定のＩＤナンバーを読み取ったときには、前記アーム部を後方に引き込むように前記駆動部の駆動制御を行なうことによって前記ディスプレイ部を前記引き込み位置に移動させる請求項３に記載の遊技台の画像表示装置。
【請求項５】
前記アーム部はパイプ状部材により構成される請求項１〜４のいずれかに記載の遊技台の画像表示装置。
【発明の詳細な説明】
【技術分野】
【０００１】
本発明は、遊技店に配列される遊技台にそれぞれ設けられ、動画、文字情報、静止画像等を表示する遊技台の画像表示装置に関するものである。
【背景技術】
【０００２】
従来、遊技店においては、ディスプレイを遊技台の一側部のサンド部に固設し、このディスプレイに新規導入する遊技台の案内、景品情報等の公告を表示するようにされている。
【０００３】
また、前記遊技店においては、会員登録した顧客に対して、遊技内容等に応じて有価価値を有するポイントを付与し、所用数のポイントと景品、情報（例えば、台情報等）、各種サービスとを交換できるようにしたポイント制が広く導入されており、会員の個人情報（成績、保有ポイント数等）、店内情報（遊技台の履歴・設定、大当たりの回数等）を前記ディスプレイに表示したり、ポイントと交換可能な景品およびサービス内容を前記ディスプレイに表示するようにされている。また、前記ディスプレイにＴＶ放送、衛星放送、ＶＴＲ等の動画を表示させる場合もある。
【発明の開示】
【発明が解決しようとする課題】
【０００４】
しかしながら、前記サンド部にディスプレイを設置した場合、遊技者の目とディスプレイとの距離が離れるだけでなく、ディスプレイの斜め方向からディスプレイ上に表示された動画・静止画等を覗き見なければならなくなるため、ディスプレイの視認性が損なわれて迫力ある動画・静止画を顧客に提供できないという問題点がある。また、顧客の目とディスプレイとの間が離れることから、一度に大量の情報を表示させようとすると、どうしても文字のサイズが小さくなって顧客に認識され難くなるため、大量の文字情報を一度に表示させることができない。
【０００５】
また、遊技台の遊技領域よりも上方位置に比較的大型のディスプレイを固定する場合もあるが、このような位置に固定されたディスプレイの表示内容を見ようとするには、身体もしくは顔を上方に向ける必要があるため、顧客に疲労感を与えてしまうという問題点がある。また、顧客の目とディスプレイとの間が離れることには変わりがないので、大量の文字情報を一度に表示させることができないという問題点を解決するには至っていない。
【０００６】
本発明は、このような問題点を解決するためになされたものであり、比較的大型の表示画面を採用して迫力ある映像・画像等を顧客に提供することができ、比較的大量の情報を一度に表示させることができ、顧客に疲労感を与えることがない遊技台の画像表示装置を提供することを目的とするものである。
【課題を解決するための手段】
【０００７】
前記目的を達成するために、本発明による遊技台の画像表示装置は、
遊技台の遊技領域前面に配される蓋体の上方位置に固定される駆動部と、
前記駆動部の駆動により前方の繰り出し位置と後方の引き込み位置との間で移動自在な側面視略円弧形状のアーム部と、
前記アーム部の前端部に固着され、そのアーム部が前方へ繰り出された際には前記蓋体の前方に位置し、前記アーム部が後方へ引き込まれた際には前記蓋体の上方に位置する画像表示用のディスプレイ部を備えることを特徴とするものである（第１発明）。
【０００８】
第１発明において、前記ディスプレイ部には、セットされたＩＤカードの記録媒体に記録されたＩＤナンバーを読み取るＩＤ読取部が設けられるのが好ましい（第２発明）。
【０００９】
第２発明において、前記繰り出し位置は、前記ディスプレイ部が前記蓋体の上部前方に位置する待機位置と、この待機位置の下方の遊技位置の２位置よりなり、
前記ＩＤ読取部によってＩＤナンバーの読み取りが行なわれていないときには、前記ディスプレイ部を前記待機位置に位置させ、
前記ＩＤ読取部にてＩＤナンバーの読み取りがなされたときには、前記アーム部を前方に繰り出すように前記駆動部の駆動制御を行なうことによって、前記ディスプレイ部を前記遊技位置に移動させ、
前記ＩＤ読取部からＩＤカードが取り除かれたときには、前記アーム部を引き込む方向に前記駆動部の駆動制御を行なうことによって、前記ディスプレイ部を前記遊技位置から前記待機位置に復帰させる駆動部制御手段を備えるのが好ましい（第３発明）。
【００１０】
また、第３発明において、前記駆動部制御手段は、前記ＩＤ読取部が特定のＩＤナンバーを読み取ったときには、前記アーム部を後方に引き込むように前記駆動部の駆動制御を行なうことによって前記ディスプレイ部を前記引き込み位置に移動させるのが良い（第４発明）。
【００１１】
さらに、前記第１〜第４発明において、前記アーム部はパイプ状部材により構成されるのが好ましい（第５発明）。
【発明の効果】
【００１２】
前記第１発明によれば、ディスプレイ部の固着位置がアーム部の前端部にされていることから、設置場所による制限が少ないため、比較的大画面のディスプレイ部を使用することができる。さらに、ディスプレイ部が前方下側に移動した状態において、そのディスプレイ部が顧客の近傍かつ正面寄りの位置に位置するようにすることで、ディスプレイ部の視認性が損なわれるのを防止して顧客に対して迫力ある動画・静止画を提供することができ、さらには、大量の情報（文字情報、アイコン等）を一度に表示することができる。また、ディスプレイ部が顧客の正面寄りに位置するため、顧客は楽な姿勢で表示部に表示された内容を見ることができる。また、前記ディスプレイ部を蓋体の前方に位置させているときには、蓋体を不正に開けようとしてもその蓋体がディスプレイ部に干渉することになるため、そのような不正が防止できるという効果もある。
【００１３】
第２発明の構成を採ることによって、ＩＤカードを有する顧客に様々なサービスを提供することができ、遊技台で遊技する顧客の利便性をより向上させることができる。
【００１４】
第３発明によれば、ディスプレイ部が繰り出し位置に、すなわち蓋体の前面に位置するようにされているので、その蓋体が不正に開かれるのを防止することができる。また、顧客が遊技を始める際に顧客が有するＩＤカードのＩＤナンバーをＩＤ読取機に読み取らせることで、自動的にディスプレイ部が顧客側に移動することになるので、顧客の利便性をより向上させることができる。さらに、第４発明の構成を採ることによって、店の関係者のみに遊技台の蓋体を開くことを許可することができるので、遊技台に異常が生じた場合の対処が可能になる。また、遊技台の蓋体を開いた関係者が把握できるので、遊技台ごとの管理がより確実に行なえることになる。
【００１５】
また、第５発明の構成を採用することによって、ディスプレイ部の配線コード等をアーム部の内部空間に通すことができるので、コード類を外部からの衝撃から防護することができるとともに、コード類が無雑作に配されることによって美観を損ねるのを防止することができる。
【発明を実施するための最良の形態】
【００１６】
次に、本発明による遊技台の画像表示装置の具体的な一実施の形態について、図面を参照しつつ説明する。
【００１７】
図１には、本実施形態に係る遊技店の概略構成図が、図２には、画像データに係る概略構成図が、図３には、遊技台の正面図（ａ）およびその遊技台に取付けられた画像表示装置の側面図（ｂ）がそれぞれ示されている。また、図４には、遊技台の後方から見た際の駆動部の上面視断面図（ａ）および正面視断面図（ｂ）ならびに側面視断面図（図４（ｂ）のＡ−Ａ視断面図）（ｃ）が、図５には、画像表示装置のディスプレイ部の正面図（ａ）および側面図（ｂ）ならびにシステム構成図（ｃ）がそれぞれ示されている。ここで、本実施形態に係る遊技店においては、会員制が採用されており、会員登録した各顧客（以下、「会員」という。）に対して、固有のＩＤナンバーを記録した磁気帯を有するＩＤカードをそれぞれ付与するようにされている。
【００１８】
図１に示されるように、遊技店１には、ポイント数、遊技時間、使用金額等の会員データおよび、台データを記録・管理する店内サーバ２と、背景画面、ランキングボード・グラフ、案内画面等の画像データを管理する複数の画像サーバ３と、画像表示装置４を有する複数の遊技台５が配されている。これら各遊技台５は、前記店内サーバ２および画像サーバ３と、ＰＣ６を介して接続されており、画像表示装置４・遊技台５−店内サーバ２・画像サーバ３間のデータ送受信を行うようにされている。また、本実施形態において遊技店１内には、ＢＳ・Ｃチューナ、ＣＡＴＶ、ＤＶＤプレーヤ、ＶＴＲ、店内カメラ等のＡＶ機器８および、ＴＶアンテナ９が設置されている。
【００１９】
前記各画像サーバ３には、Ｄ／Ａコンバータ１０が接続されており、画像サーバ３にて管理されるデジタルデータ（画像データ）をアナログ信号（コンポジット信号）に変換し、後流の周波数変換器１１に供給するようにされている。また、この周波数変換器１１には前記各Ｄ／Ａコンバータ１０の他に前記ＡＶ機器８が接続されており、ＡＶ機器８および前記Ｄ／Ａコンバータ１０から供給される各々の信号を、固有の周波数を有する映像信号にそれぞれ変換するようにされている。こうして周波数変換器１１によって変換された映像信号は、ＴＶアンテナ９からの地上波信号と共に、周波数ミキサー１２に供給されて多重化され、同軸ケーブル１３および分配器１４を介して前記画像表示装置４のチューナ部５２（後述）に分配供給される。こうして、前記画像表示装置４に、画像サーバ３によって管理される画像、ＡＶ機器８による映像、地上波放送等が表示される。
【００２０】
前記遊技台５は、図３（ｂ）に示されるように、その正面に遊技領域が形成される盤面２０を有しており、この盤面２０の前面には、ガラス板が嵌め込まれた蓋体２１が開閉可能に取り付けられている。また、前記遊技台５内には、前記画像表示装置４を支持し、後述のアーム部３１を収納するための支持・収納空間２２が、蓋体２１の上方位置で遊技台５の右側部に当る位置から奥行方向に延びた後、下方向に延びるように形成されている。また、前記支持・収納空間２２の前端面には、所要箇所に後述のアーム部３１を通すための貫通孔２３'が穿設された化粧板２３が配されており、支持・収納空間２２を外部から覆い隠すようにされている。なお、図３（ａ）中、符号２４で示されるのは、プリペイドカードの差し込み口、玉の貸出口等（いずれも図示せず）が配されるサンド部である。
【００２１】
前記画像表示装置４は、前記支持・収納空間２２の側壁２２'に固定される駆動部３０と、側面視円弧状の長尺のパイプより形成され、弧の凸部が上向きになるように前記駆動部３０内で支持されるとともに、前記駆動部３０の駆動により前方へ繰り出され、または後方へ引き込まれるアーム部３１と、このアーム部３１の先端部に固定されるディスプレイ部３２を備えて構成されている（図３（ｂ）参照。）。なお、ディスプレイ部３２とアーム部３１は、ディスプレイ部３２が後述の待機位置（図６（ｂ）参照。）にある際に、前面の表示部５０（後述）が正面を向くように、その取付け角度が調整されている。
【００２２】
前記駆動部３０は、図４（ａ）、（ｃ）に示されるように、一側面が前記側壁２２'に固定されるギアボックス４１を有し、このギアボックス４１の下部前端には、取付板４３が下方に向け延設されており、この取付板４３の左部背面（遊技台５の後側から見て）に電気モータ４２が取り付けられている。この電気モータ４２は、図示されない制御部を有しており、店内サーバ２から送信される後述の遊技信号、待機信号、閉店信号、開店信号、整備信号に基づき、回転方向が切り替えられるようにされている。また、前記ギアボックス４１内の左部前端部寄りの位置には、前記電気モータ４２によって直接駆動される第１の軸体４４ａが回動可能に、かつその軸線を上下方向に向け配されており、この第１の軸体４４ａの後方には、第２の軸体４４ｂが回動可能に、かつその軸線を上下方向に向け配されている。さらに、前記第２の軸体４４ｂの側方には、第２の軸体４４ｂと対をなす第３の軸体４４ｃが回動可能に、かつ第２の軸体４４ｂと平行に配されている。
【００２３】
前記ギアボックス４１内で前記第１の軸体４４ａの上端部には、第１のギア４５ａが配されており、前記第２の軸体４４ｂの下端部で前記第１のギア４５ａに対応する位置には、第２のギア４５ｂが配されている。また、第２および第３の軸体４４ｂ、４４ｃの上端部には、第３および第４のギア４５ｃ、４５ｄがそれぞれ配されており、前記第２の軸体４４ｂで前記第２のギア４５ｂおよび第３のギア４５ｃの中間部および、第３の軸体４４ｃで前記第４のギア４５ｄの下方には、前記アーム部３１を挟持して支持するとともに、前記第２、第３の軸体４４ｂ、４４ｃが回動した際に、アーム部３１を前方に繰り出す、または後方に引き込ませる第１および第２のローラ４６ａ、４６ｂが上下方向の同位置に配されている。
【００２４】
一方、図３（ｂ）に示されるように、前記駆動部３０の前端よりやや前寄りの位置から、前記化粧板２３の貫通孔２３'に至る範囲には、内径が前記アーム部３１の外径よりもやや大径のパイプ状に形成され、内部にそのアーム部３１が配されるガイドパイプ３３が設けられており、前記アーム部３１の位置ズレを防止するようにされている。そして、前記アーム部３１は、前記ギアボックス４１の前端板に設けられた貫通孔４７、第１、第２のローラ４６ａ、４６ｂ間、ガイドパイプ３３の内部空間および化粧板２３の貫通孔２３'を通るように配され、前記第１、第２のローラ４６ａ、４６ｂによって挟持されて支持される。なお、前記第２および第３の軸体４４ｂ、４４ｃの下端部には、それら両軸体４４ｂ、４４ｃを内方に向け付勢するばね材（図示せず）が配されており、各ローラ４６ａ、４６ｂによるアーム部３１に対する挟持力を長時間保持することができるようになっている。
【００２５】
このように構成される画像表示装置４によれば、前記電気モータ４２が、第１の軸体４４ａを駆動部３０の上方から見て時計回りに回転させると、その回転力は第１、第２のギア４５ａ、４５ｂを介して第２の軸体４４ｂに伝達され、この第２の軸体４４ｂに伝達された回転力は、第３、第４のギア４５ｃ、４５ｄを介して第３の軸体４４ｃに伝達される。こうして、前記第２、第３の軸体４４ｂ、４４ｃは互いに逆方向に回転し、前記第１、第２のローラ４６ａ、４６ｂに挟持されるアーム部３１を前方（図（ａ）４中、上方向）へ繰り出す。これによって、前記ディスプレイ部３２は繰り出し方向に移動する。逆に、前記電気モータ４２によって第１の軸体が、駆動部３０の上方から見て反時計回りに回転した際には、アーム部３１は第１、第２のローラ４６ａ、４６ｂによって後方に引き込まれ、前記ディスプレイ部３２は引き込み方向に移動する。
【００２６】
一方、前記ディスプレイ部３２は、図５（ａ）（ｃ）に示されるように、正面に配される薄型ディスプレイ（例えば、ＴＦＴ液晶、有機ＥＬ等）からなる表示部５０と、この表示部５０の右方に位置し、方向キー５１ａと、入力キー５１ｂ、５１ｃにより構成される操作部５１を有している。またディスプレイ部３２の内部には、前記周波数ミキサー１２から同軸ケーブル１３および分配器１４を介して送信される多重化された信号を受信するチューナ部５２と、前記店内サーバ２および画像サーバ３との間のデータ送受信を行なうためのインターフェイス部（ＲＳ−４８５）５３と、後述の操作ガイド等の文字情報を画像に重ね合わせて表示させるためのＯＳＤ５４と、表示部５０の画面切替、操作部５１の操作、文字情報と画像の重ね合わせ、インターフェイス部５３を介した各サーバ２、３間のとのデータ送受信等、ディスプレイ部３２の画面表示に係る全てのプログラムを実行するＣＰＵ５５と、図示されないメモリ部を備えている。一方、前記ディスプレイ部３２の一側面には、会員登録を行なった顧客、あるいは店員等に付与される磁気帯付きのＩＤカードを挿入するためのカードスロット５６が配されており、このカードスロット５６内には、磁気帯に登録されたＩＤナンバーを読み取るためのＩＤ読取器（ＩＤ読取部；図示せず）が配されている。また、前記ディスプレイ部３２の一側面で前記カードスロット５６の前方位置にはＬＥＤ（図示せず）が配されており、遊技で生じる様々なイベントに応じて様々なパターンの光を発し、遊技者の気分を盛り上げるようにされている。なお、本実施形態において、前記チューナ部５２およびインターフェイス部５３に接続される通信ケーブル、電源コード等のコード類（図示せず）は、前記アーム部３１の内部空間に通されており、コード類が外部からの衝撃によって損傷するのを防止するとともに、そのコード類が美観を損なうのを防止している。また、前記ディスプレイ部３２には、イヤホンの差込口（図示せず）が設けられており、表示部５０に表示された映像等の他に音楽、音声情報等の配信を行なえるようになっている。
【００２７】
本実施形態において、ディスプレイ部３２は、
・蓋体２１上端部の前方位置にある待機位置（図６（ｂ）参照。）。
・待機位置より前方下側で、遊技者の右斜め前方やや上寄りの位置にある遊技位置（図６（ｃ）参照。）。
・待機位置より奥方向で、かつ前記蓋体２１よりも上方位置にある整備位置（図６（ａ）参照；本発明の引き込み位置に相当する。）
のいずれかに位置するようになっている。また、ディスプレイ部３２が待機位置にある際には、新規導入する台等の広告画面を表示部５０に表示し、遊技位置にある際には、後述のメインメニューを表示するようにされている。また、前記ディスプレイ部３２が整備位置に移動した際には、表示部５０の電源をＯＦＦ状態にするようにされている。
【００２８】
前記支持・収納空間２２内で前記ディスプレイ部３２が遊技位置にある際のアーム３１の後端部に対応する位置には、第１のフォトインタラプタ６０ａが配されており、待機位置にある際のアーム部３１の後端部に対応する位置には第２のフォトインタラプタ６０ｂが、整備位置にある際のアーム部３１の後端部に対応する位置には第３のフォトインタラプタ６０ｃがそれぞれ配されている。そして、前記ディスプレイ部３２の各位置間の移動を行なう際に、前記第１〜第３のフォトインタラプタ６０ａ〜６０ｃが利用される（詳細は後述）。
【００２９】
本実施形態において遊技を行なう会員は、空席の遊技台５の画像表示装置４（待機位置にある）に設けられたカードスロット５６に自身のＩＤカードを挿入する。すると、カードスロット５６の図示されないＩＤ読取器によって磁気帯上のＩＤナンバーが読み取られて前記店内サーバ２に送信され、店内サーバ２においてＩＤカードの挿入時刻等が記録される。
【００３０】
次いで、前記店内サーバ２から前記遊技台５に遊技信号が折り返し送信される。すると、前記駆動部３０の電気モータ４２が時計回りに回転し、ローラ部４６ａ、４６ｂがアーム部３１を繰り出す方向に回転し（図４（ｃ）において、実線で示される矢印参照。）、それに伴ない前記ディスプレイ部３２が待機位置から下方の遊技位置に移動する。こうしたアーム部３１の繰り出しは、前記第１のフォトインタラプタ６０ａによってアーム部３１が検出されている間継続され、前記アーム部３１の後端が第１のフォトインタラプタ６０ａのやや前方にまで移動して、第１のフォトインタラプタ６０ａによってアーム部３１が検出されなくなった時点、つまり前記ディスプレイ部３２が遊技位置に位置した時点で終了する（図６（ｂ）および図６（ｃ）を参照。）。こうして、前記ディスプレイ部３２の待機位置から遊技位置への移動が完了する。
【００３１】
遊技が終了し、ＩＤカードがカードスロット５６から取り除かれると、表示部５０にどの映像（または画像、文字情報）が最後に表示されていたかという情報が、音量の情報と共に、店内サーバ２に送信され、ＩＤカードが取り除かれた時刻と共に記録される。次いで、前記店内サーバ２から待機信号が前記画像表示装置４に送信される。すると、前記駆動部３０の電気モータ４２が反時計回りに回転し、ローラ部４６ａ、４６ｂがアーム部３１を奥行方向に引き込ませるように回転する。それに伴ないディスプレイ部３２が前記遊技位置から上方に向け移動する。このディスプレイ部３２の移動は、前記第２のフォトインタラプタ６０ｂによってアーム部３１の検出がなされていない間継続され、第２のフォトインタラプタ６０ｂによってアーム部３１が検出された時点で停止する（図６（ａ）および図６（ｂ）参照。）。こうして、ディスプレイ部３２が遊技位置から待機位置へ復帰する。
【００３２】
前記会員がＩＤカードを再度カードスロット５６にセットすると、前述と同様のプロセスを経てディスプレイ部３２が遊技位置に移動する。そして、前回ＩＤカードを取り除いた際に店内サーバ２に登録された情報に基いて、前回の最後に表示された映像（または画像、文字情報）が前回と同様の音量で表示部５０に表示される。
【００３３】
遊技店１における営業終了時間が過ぎると、店内サーバ２から、全ての遊技台５に閉店信号が送信される。すると前記各遊技台５において、駆動部３０によるアーム部３１の引き込みが一斉に開始されて、全てのディスプレイ部３２が引き込み方向に移動する。こうしたアーム部３１の引き込みは、第３のフォトインタラプタ６０ｃがアーム部３１の後端が検知されない間継続され、検知された時点で終了する（図６（ｂ）、図６（ａ）参照。）。こうして、全ての遊技台５のディスプレイ部３２の整備位置への移動が完了する。なお、ディスプレイ部３２が整備位置に移動した状態においては、アーム部３１およびディスプレイ部３２が蓋体２１の上方位置にあり、蓋体２１を開いて盤面２０の整備を行なうことができる。
【００３４】
遊技店１の開店時には、店内サーバ２から開店信号が全ての遊技台５に送信される。すると、全遊技台５の駆動部３０の駆動によりアーム部３１が繰り出され、前記ディスプレイ部３２が前方下側に向け移動する。そして、前記第２のフォトインタラプタ６０ｂによるアーム部３１の検知がされなくなった時点で、前記駆動部３０の駆動が停止する（図６（ａ）、図６（ｂ）参照。）。こうして、全てディスプレイ部３２の整備位置から待機位置への移動が完了する。
【００３５】
本実施形態においては、不測の事態に対処するために、開店時においてもディスプレイ部３２を整備位置に移動させ、盤面２０内の整備を行えるようになっている。このため、遊技店１の関係者に、特別なＩＤナンバーが付与されたＩＤカードを手渡しておき、緊急の整備が必要となった遊技台５のカードスロット５６に、そのＩＤカードをセットする。すると、関係者に特別なＩＤナンバーが前記店内サーバ２に送信されて、そのＩＤナンバーと、ＩＤナンバーが読み取られた時刻と、遊技台５の識別記号が記録される。次いで、店内サーバ２から遊技台５に折り返し整備信号が送信され、ディスプレイ部３２が待機位置から整備位置へ移動し、蓋体２１が開閉可能な状態になる。整備が終了した際には、関係者のＩＤカードをカードスロット５６から取り除く。すると、駆動部３０が駆動してディスプレイ部３２が整備位置から待機位置にまで移動し、ＩＤカードが取り除かれた時刻が前記店内サーバ２に記録される。
【００３６】
また、本実施形態においては、前記ディスプレイ部３２が遊技位置に移動した際に、前記表示部５０に、操作ガイドを表示させるためのガイド用アイコンと、新規台、店内公告等の複数の文字情報と、地上波・衛星放送、ＤＶＤ、ＶＴＲ等の動画を鑑賞するための基本メニューを表示させるためアイコンと、写真等の静止画像を表示させる画像メニューを表示させるアイコンと、台情報、個人情報等の表示を行なう情報メニューを表示させるアイコンと、ポイントと景品等との交換を行なう交換メニューを表示させるアイコンからなるメインメニュー（図示せず）が表示され、前記操作部５１を用いて、メインメニューのアイコンを選択（クリック）することによって、操作ガイドまたは各種メニューを表示部５０に表示できるようになっている。
【００３７】
前記操作部５１の操作により、操作ガイド表示用のアイコンが選択（クリック）されると、前記ＯＳＤ５４に格納されたガイド情報（文字情報）がメインメニューに重なって表示される。
【００３８】
前記操作部５１の操作により基本メニューへ切り替わるアイコンが選択されると、前画面（メインメニュー）に復帰するためのアイコンと、映像選択用のアイコンが表示される。この映像選択用のアイコンが選択（クリック）されると、選択されたＡＶ機器８の映像または、地上波放送がチューナ５２等を経由して表示部５０に表示される。また、こうした映像選択用のアイコンは、操作部５１が一定時間以上放置されると自動的に表示部５０から隠れ、操作部５１の各種キー５１ａ、５１ｂ、５１ｃの操作が行なわれると再び表示されるようになっており、チャンネル切替用のアイコンが映像鑑賞の妨げにならないようにされている。
【００３９】
また、画像メニューが選択されると、前画面に復帰するためのアイコンと共に、画像サーバ３に登録された複数の画像が表示部５０にサムネイル表示あるいはスライド表示されるので、前記操作部５１を用いて、これら各画像の中から一画像を選択する。こうすることで、選択された画像が前記表示部５０に表示される。
【００４０】
前記会員によって情報メニューへ切り替わるためのアイコンが選択されると、前記店内サーバ２において管理される個人情報（保有ポイント数、累積使用金額、出玉数等）を表示させるためのアイコンと、台情報（設定、台履歴等）を表示させるためのアイコンと、前記各画像サーバ３によって画像データとして管理される情報（グラフ、ランキングボード、案内画面等）を表示させるためのアイコンと、前記店内カメラによって撮影される景品映像を表示させるためのアイコンを有する情報メニュー画面が表示される。そして、いずれかのアイコンを選択することによって、選択されたアイコンに相当する情報が前記表示部５０に表示される。
【００４１】
前記メインメニューから交換メニューが選択されると、店内サーバ２から該当する会員のデータが呼び出され、その会員が有するポイント数と、そのポイント数と交換可能な景品またはサービスを示すアイコンが復帰用のアイコンと共に表示される。前記操作部５１の操作によって、いずれかのアイコンが選択されると、会員のＩＤナンバーと、選択される景品と、使用されるポイント数が、前記インターフェイス部５３および、ＰＣ６等を介して前記店内サーバ２に送信され、この店内サーバ２において、該当する会員のポイント数が所用の数だけ減算処理され、引換えに選択された景品またはサービスが会員に提供される。こうして、ポイントと景品等の交換が完了する。ここで、ポイントと景品、サービス、情報等を交換する際には、会員に暗証番号等の入力を求め、不正使用を防止するのが好ましい。なお、前記ポイントは、遊技店１が定める条件（例えば、遊技によって使用された金額、遊技中の打ち込み球数等の遊技内容、悪天候、誕生日等のイベント発生時における来客）を満たした会員に順次発行され、その都度前記店内サーバ２に登録・管理されるポイントデータが加算処理される。
【００４２】
本実施形態に係る画像表示装置４においては、前記アーム部３１にディスプレイ部３２を設置するようにされているため、従来のように設置場所による制限がなく、比較的大型の液晶、有機ＥＬ等の薄型ディスプレイを表示部５０として採用することができる。また、本実施形態においては、遊技者のＩＤナンバーが読み取られると、前記ディスプレイ部３２が遊技する会員の右斜め上の位置にまで繰り出されて、遊技者の目と表示部５０とが近接することになる（遊技位置）ので、表示部５０の視認性が損なわれることがなく、迫力ある動画、静止画を会員に対して提供することができる。また、会員と表示部５０が近接するため、比較的大量の文字情報を表示させたとしても、あるいは複数のアイコン等を表示させたとしても、遊技者はそれらの情報を確実に確認することができる。加えて、会員は姿勢をほとんど変化させることなく、楽な姿勢で表示部５０の表示内容を見ることができる。
【００４３】
また、遊技店１の開店中においては、前記ディスプレイ部３２が蓋体２１の前面に位置するため（待機位置、遊技位置）、その蓋体２１が不正に開かれるのを防止することができる。また、開店中に、関係者のＩＤカードがカードスロット５６に挿入されて、ディスプレイ部３２が整備位置に移動し、蓋体２１が開かれた場合であっても、蓋体２１を開けた関係者のＩＤナンバーと、整備された時間帯（ＩＤカードが挿入されている時間）が前記店内サーバ２に記録されるため、整備経過についての管理を容易に行なうことができる。
【００４４】
本実施形態において、前記駆動部３０を前または後方向に所要角だけ回動可能にしても良い。こうすることによって、遊技台５の蓋体２１、サンド部２４等に肉厚の装飾品が設けられていたとしても、駆動部３０の回動角を適切に調整することができ、前記装飾品にディスプレイ部３２およびアーム部３１が接触するのを回避することができる。
【００４５】
本実施形態においては、磁気帯を有するＩＤカードを使用する例について説明したが、ＩＣチップよりなるＩＣ記録部を有するＩＤカードを使用することも可能である。このようなＩＤカードを用いる場合、前記ディスプレイ部３２に、ＩＤカード用のホルダーおよびＩＣチップ用のデータ読取器を設けておき、ＩＤカードをホルダーにセットした際、読取器によってＩＣチップに記録されたＩＤナンバーを定期的に読み取るようにする。勿論、ＩＣ記録部と磁気記録部（磁気帯）の両方を有するＩＤカードを用いることもできる。
【００４６】
また、画像表示装置４を煩わしく感じる顧客（会員を含む）のために、前記ディスプレイ部３２の遊技位置から上方へ手動で、あるいは専用のボタンを押すことにより、移動できるようにしても良い。
【００４７】
本実施形態においては、画像、動画、店内情報を表示する例について説明したが、その他に、音楽・ラジオ放送等の音声データを単独あるいは、静止画像・文字情報等と共に配信することもできる。また、スキャナやデジタルカメラ等で取り込んだ画像や、メール添付画面等を画像サーバ３に管理しておき、画像表示装置４に表示させるようにしても良い。さらに、会員が登録した１または複数の画像を"お気に入り画面"として画像サーバ３に記録しておき、その会員の希望に応じて表示部５０に表示させるようにしても良い。また、本実施形態においては操作部５１を用いてメニュー画面の操作を行なうようにされているが、タッチパネル等、その他の方式を採用することも勿論可能である。
【００４８】
本実施形態においては、側面視円弧状のパイプからなるアーム部３１を第１および第２のローラ４６ａ、４６ｂ間に挟持し、これらローラ４６ａ、４６ｂの回動によってアーム部３１を前方に繰り出し、あるいは後方へ引き込ませ、それによって前記ディスプレイ部３２の待機位置−遊技位置間および、待機位置−整備位置間の移動を行なうようにされているが、こうした機構に限定されることはなく、例えば、ディスプレ部３２を長尺円弧状のラックからなるアーム部３１の前端に固定し、ピニオンギアを有する駆動部を用いて移動させる等、他の機構を採用することもできる。
【００４９】
なお、本実施形態の店内サーバ２、ＰＣ６、電気モータ４２、第１〜第３のフォトインタラプタ６０ａ〜６０ｃ等が本発明の駆動部制御手段に相当する。
【図面の簡単な説明】
【００５０】
【図１】本実施形態に係る遊技店の概略構成図
【図２】画像データに係る概略構成図
【図３】遊技台の正面図（ａ）およびその遊技台に取付けられた画像表示装置の側面図（ｂ）
【図４】遊技台の背面から見た際の駆動部の上面視断面図（ａ）および正面視断面図（ｂ）および、側面視断面図（図４（ｂ）のＡ−Ａ視断面図）（ｃ）
【図５】画像表示装置のディスプレイ部の正面図（ａ）および側面図（ｂ）およびシステム構成図（ｃ）
【図６】画像表示装置のディスプレイ部が整備位置にある時の状態説明図（ａ）および、ディスプレイ部が待機位置にある時の状態説明図（ｂ）および、ディスプレイ部が遊技位置にある時の状態説明図（ｃ）
【符号の説明】
【００５１】
１                遊技店
４                画像表示装置
５                遊技台
６                ＰＣ
２１              蓋体
３０              駆動部
３１              アーム部
３２              ディスプレイ部
４２              電気モータ
５０              表示部
５１              操作部
５６              カードスロット
６０ａ            第１のフォトインタラプタ
６０ｂ            第２のフォトインタラプタ
６０ｃ            第３のフォトインタラプタ
【図１】
2005102833.tif 000003
【図２】
2005102833.tif 000004
【図３】
2005102833.tif 000005
【図４】
2005102833.tif 000006
【図５】
2005102833.tif 000007
【図６】
2005102833.tif 000008